(57)【要約】【課題】無駄な電力消費を抑制する。【解決手段】特殊オートパワーオフモードが設定されている場合には、電源をオンするとＬＣＤ１０に各画像４１〜４３が表示される。１０秒以内にメニューキー１１とズームボタン１２が一緒に押されなかった場合は、ＣＰＵ３０により電源がオフされる。１０秒以内にメニューキー１１とズームボタン１２が一緒に押されると、電源オン時に静止画マーク１４がモード表示マーク１７に向いていたときには静止画撮影モードに切り換わり、動画マーク１５がモード表示マーク１７に向いていたときには動画撮影モードに切り換わり、再生マーク１６がモード表示マーク１７に向いていたときには再生モードに切り換わる。静止画撮影モード、動画撮影モード及び再生モードでは、操作ボタンを操作していない無操作時間が２分を超えたときには、電源がオフされる。【選択図】図６
2010124064.tif 000002
【特許請求の範囲】
【請求項１】
電源のオン／オフを制御する電源制御手段と、
前記電源制御手段を作動させる電源ボタンを含む複数の操作ボタンと、
電源がオンされたときに時間計測を開始するタイマと、
前記電源ボタン以外の操作ボタンが操作されないまま前記タイマによる計測時間が第１設定時間を超えたときに前記電源制御手段により電源がオフされる第１オートパワーオフモードと、予め設定された操作態様で前記電源ボタン以外の操作ボタンが操作されないまま前記計測時間が前記第１設定時間よりも短い第２設定時間を超えたときに前記電源制御手段により電源がオフされる第２オートパワーオフモードとのいずれで電源をオンするかを設定する設定手段と、
前記第２オートパワーオフモード中に前記操作態様で前記電源ボタン以外の操作ボタンが操作されたときに前記第１オートパワーオフモードに切り換えるモード切換手段と、を備えることを特徴とする電子装置。
【請求項２】
前記第２オートパワーオフモードで電源がオンされたときに、それを報知する報知手段を備えることを特徴とする請求項１記載の電子装置。
【請求項３】
前記第２オートパワーオフモードは、前記第１オートパワーオフモードよりも消費電力が少ないことを特徴とする請求項１または２記載の電子装置。
【請求項４】
前記第１オートパワーオフモードには、複数の操作モードが設けられ、
前記複数の操作モードのうちのいずれかを選択する操作モード選択手段を備え、
前記モード切換手段は、前記複数の操作モードのうちの前記操作モード選択手段で選択された操作モードに切り換えることを特徴とする請求項１ないし３いずれか１つ記載の電子装置。
【請求項５】
前記第２オートパワーオフモードは、時刻を報知することを特徴とする請求項１ないし４いずれか１つ記載の電子装置。
【請求項６】
前記第１オートパワーオフモードでオンすることが設定されている状態で、前記第１オートパワーオフモード中に前記電源ボタン以外の操作ボタンが操作されないまま前記計測時間が前記第１設定時間を超えて前記電源制御手段により電源がオフされたときには、前記設定手段は、前記第２オートパワーオフモードで電源をオンすることを設定することを特徴とする請求項１ないし５いずれか１つ記載の電子装置。
【請求項７】
前記第２オートパワーオフモードには、所定回数電源をオンした後に前記設定手段により前記第１オートパワーオフモードで電源をオンすることが設定される回数限定第２オートパワーオフモードが設けられ、
前記第１オートパワーオフモードでオンすることが設定されている状態で、前記第１オートパワーオフモード中に前記電源ボタン以外の操作ボタンが操作されないまま前記計測時間が前記第１設定時間を超えて前記電源制御手段により電源がオフされたときには、前記設定手段は、前記回数限定第２オートパワーオフモードで電源をオンすることを設定することを特徴とする請求項１ないし５いずれか１つ記載の電子装置。
【請求項８】
操作ボタンが操作されないまま計測時間が第１設定時間を超えたときに電源がオフされる第１オートパワーオフモードと、予め設定された操作態様で前記操作ボタンが操作されないまま計測時間が前記第１設定時間よりも短い第２設定時間を超えたときに電源がオフされる第２オートパワーオフモードとのいずれで電源をオンするかを設定し、
前記第２オートパワーオフモード中に前記操作態様で前記操作ボタンが操作されたときに前記第１オートパワーオフモードに切り換えることを特徴とする電子装置の制御方法。
【発明の詳細な説明】
【技術分野】
【０００１】
本発明は、電子装置及びその制御方法に関するものである。
【背景技術】
【０００２】
電子装置、例えばデジタルカメラは、撮影を行う撮影ボタン、各種設定を行う設定ボタン、電源をオン／オフする電源ボタン等の操作ボタンが設けられている。デジタルカメラは、携帯されるものであり、携帯時には、カバンやポケット等に収納される。カバンやポケットに収納されているときに電源ボタンが誤って操作されると、電源がオンし、無駄な電力を消費することになる。そこで、特許文献１では、デジタルカメラ使用時にユーザがホールドする位置に、検出センサを設け、この検出センサによりホールドを検出しているときに電源ボタンが操作されたときにのみ電源をオンするデジタルカメラが提案されている。
【０００３】
しかしながら、特許文献１では、カバンやポケットに収納されているときに、検出センサによるホールド検出が行われてしまうことがあり、この場合には、無駄な電力を消費することになる。そこで、近年のデジタルカメラでは、操作ボタンが操作されないままタイマによる計測時間が予め設定された設定時間を超えた場合に、自動的に電源をオフするオートパワーオフ機能が設けられている。
【特許文献１】特開２００４−０７２２３２号公報
【発明の開示】
【発明が解決しようとする課題】
【０００４】
オートパワーオフ機能が設けられたものでも、電源ボタンが誤って操作されると、オートパワーオフ機能が作動するまで無駄な電力を消費することになる。このため、無駄な電力消費をより一層抑制するために、オートパワーオフ機能が作動する上記設定時間を短くすることが考えられるが、設定時間を短くすると、撮影中にもオートパワーオフ機能が作動してしまうため、設定時間はあまり短くすることができない。
【０００５】
本発明は、上記課題を解決するためになされたものであり、無駄な電力消費を抑制することができる電子装置及びその制御方法を提供することを目的とする。
【課題を解決するための手段】
【０００６】
上記目的を達成するために、本発明の電子装置は、電源のオン／オフを制御する電源制御手段と、前記電源制御手段を作動させる電源ボタンを含む複数の操作ボタンと、電源がオンされたときに時間計測を開始するタイマと、前記電源ボタン以外の操作ボタンが操作されないまま前記タイマによる計測時間が第１設定時間を超えたときに前記電源制御手段により電源がオフされる第１オートパワーオフモードと、予め設定された操作態様で前記電源ボタン以外の操作ボタンが操作されないまま前記計測時間が前記第１設定時間よりも短い第２設定時間を超えたときに前記電源制御手段により電源がオフされる第２オートパワーオフモードとのいずれで電源をオンするかを設定する設定手段と、前記第２オートパワーオフモード中に前記操作態様で前記電源ボタン以外の操作ボタンが操作されたときに前記第１オートパワーオフモードに切り換えるモード切換手段と、を備えることを特徴とする。
【０００７】
また、前記第２オートパワーオフモードで電源がオンされたときに、それを報知する報知手段を備えることが好ましい。
【０００８】
さらに、前記第２オートパワーオフモードは、前記第１オートパワーオフモードよりも消費電力が少ないことが好ましい。
【０００９】
また、前記第１オートパワーオフモードには、複数の操作モードが設けられ、前記複数の操作モードのうちのいずれかを選択する操作モード選択手段を備え、前記モード切換手段は、前記複数の操作モードのうちの前記操作モード選択手段で選択された操作モードに切り換えることが好ましい。
【００１０】
さらに、前記第２オートパワーオフモードは、時刻を報知することが好ましい。
【００１１】
また、前記第１オートパワーオフモードでオンすることが設定されている状態で、前記第１オートパワーオフモード中に前記電源ボタン以外の操作ボタンが操作されないまま前記計測時間が前記第１設定時間を超えて前記電源制御手段により電源がオフされたときには、前記設定手段は、前記第２オートパワーオフモードで電源をオンすることを設定することが好ましい。
【００１２】
さらに、前記第２オートパワーオフモードには、所定回数電源をオンした後に前記設定手段により前記第１オートパワーオフモードで電源をオンすることが設定される回数限定第２オートパワーオフモードが設けられ、前記第１オートパワーオフモードでオンすることが設定されている状態で、前記第１オートパワーオフモード中に前記電源ボタン以外の操作ボタンが操作されないまま前記計測時間が前記第１設定時間を超えて前記電源制御手段により電源がオフされたときには、前記設定手段は、前記回数限定第２オートパワーオフモードで電源をオンすることを設定することが好ましい。
【００１３】
また、本発明の電子装置及の制御方法は、操作ボタンが操作されないまま計測時間が第１設定時間を超えたときに電源がオフされる第１オートパワーオフモードと、予め設定された操作態様で前記操作ボタンが操作されないまま計測時間が前記第１設定時間よりも短い第２設定時間を超えたときに電源がオフされる第２オートパワーオフモードとのいずれで電源をオンするかを設定し、前記第２オートパワーオフモード中に前記操作態様で前記操作ボタンが操作されたときに前記第１オートパワーオフモードに切り換えることを特徴とする。
【発明の効果】
【００１４】
本発明によれば、操作ボタンが操作されないまま計測時間が第１設定時間を超えたときに電源がオフされる第１オートパワーオフモードと、予め設定された操作態様で操作ボタンが操作されないまま計測時間が第１設定時間よりも短い第２設定時間を超えたときに電源がオフされる第２オートパワーオフモードとのいずれで電源をオンするかを設定可能であるから、第２オートパワーオフモードで電源をオンすることを設定しておけば、電源ボタンが誤って操作されて電源がオンされた場合にも、第１オートパワーオフモードのときよりも短い時間で電源をオフすることができる。これにより、無駄な電力消費を抑制することができる。
【発明を実施するための最良の形態】
【００１５】
［第１実施形態］
図１に示すように、本発明を実施したデジタルカメラ２は、カメラ本体３の前面に、複数の撮影レンズ４が組み込まれたレンズ鏡筒５が設けられている。カメラ本体３の上面には、電源ボタン６、レリーズボタン７等が設けられている。レンズ鏡筒５は、デジタルカメラ２が電源オフ状態にある際に、カメラ本体３の内部に収納され、撮影モードに移行されたときにカメラ本体３の前面から突出する。
【００１６】
レリーズボタン７は、２段押しの構造とされている。レリーズボタン７を軽く押圧（半押し）すると、フォーカシングなどの撮影準備動作が行われる。この状態でさらに押圧（全押し）すると、撮影動作が行われる。
【００１７】
図２に示すように、カメラ本体３の背面には、撮影画像や各種設定条件が表示されるＬＣＤ１０、各種設定及び表示画像の切り換えを行うためのメニューキー１１、ＬＣＤ１０に表示する画像を拡大及び縮小ズームさせるズームボタン１２、モード切換ダイヤル１３等が設けられている。本実施形態では、レリーズボタン７、メニューキー１１、ズームボタン１２及びモード切換ダイヤル１３を、操作ボタンと総称する。
【００１８】
デジタルカメラ２は、操作ボタンが操作されないままタイマ３７（図４参照）の計測時間が予め設定された第１設定時間（例えば、２分）を超えたときに電源がオフされる通常オートパワーオフモードと、予め設定された操作態様（メニューキー１１とズームボタン１２を一緒に押す）で操作ボタンが操作されないまま計測時間が予め設定された第２設定時間（例えば、１０秒）を超えたときに電源がオフされる特殊オートパワーオフモードとが設けられている。なお、上記設定時間は適宜変更可能である。
【００１９】
通常オートパワーオフモードには、静止画の撮影を行う静止画撮影モードと、動画の撮影を行う動画撮影モードと、撮影した画像を再生表示する再生モードとが設けられている。すなわち、静止画撮影モードは「静止画撮影＋通常オートパワーオフモード」であり、動画撮影モードは「動画撮影＋通常オートパワーオフモード」であり、再生モードは「再生＋通常オートパワーオフモード」である。また、特殊オートパワーオフモードは、静止画撮影モード、動画撮影モード及び再生モードよりも消費電力が少ない。
【００２０】
モード切換ダイヤル１３は、回転可能に設けられ、静止画マーク１４と、動画マーク１５と、再生マーク１６とが形成されている。カメラ本体３の背面には、モード切換ダイヤル１３の上方にモード表示マーク１７が形成されている。電源オン中に、モード切換ダイヤル１３を回転して、静止画マーク１４をモード表示マーク１７に向けると静止画撮影モードに切り換わり、動画マーク１５をモード表示マーク１７に向けると動画撮影モードに切り換わり、再生マーク１６をモード表示マーク１７に向けると再生モードに切り換わる。
【００２１】
図３に示すように、通常オートパワーオフモードと特殊オートパワーオフモードとのいずれで電源をオンするかを設定するときには、メニューキー１１を操作して、ＬＣＤ１０にモード設定画面１８を表示する。ユーザは、モード設定画面１８を見ながらメニューキー１１を操作して、通常オートパワーオフモードと特殊オートパワーオフモードとのいずれかを設定する。通常オートパワーオフモードが選択されたときには、ＲＡＭ３５（図４参照）に通常モードデータが記憶され、特殊オートパワーオフモードが選択されたときには、ＲＡＭ３５に特殊モードデータが記憶される。
【００２２】
図４は、デジタルカメラ２内部の電気的構成を示すブロック図であり、撮影レンズ４の背後には、撮影レンズ４を透過した被写体光が撮像されるＣＣＤ２１が配置されている。このＣＣＤ２１には、ＣＰＵ３０によって制御されるタイミングジェネレータ２６からタイミング信号（クロック信号）が入力される。ＣＣＤ２１から出力された信号は、相関二重サンプリング回路（ＣＤＳ）２２に入力され、ＣＣＤ２１の各セルの蓄積電荷量に正確に対応したＲ、Ｇ、Ｂの画像データとして出力される。ＣＤＳ２２から出力された画像データは、増幅器（ＡＭＰ）２３で増幅され、Ａ／Ｄ変換器２４でデジタルデータに変換される。
【００２３】
画像入力コントローラ２５は、データバス２８を介してＣＰＵ３０に接続されており、ＣＰＵ３０の命令によってＣＣＤ２１，ＣＤＳ２２，ＡＭＰ２３，Ａ／Ｄ変換器２４を制御する。また、Ａ／Ｄ変換器２４から出力された画像データをビデオメモリ３１、あるいはバッファメモリ３３に書き込む。
【００２４】
ビデオメモリ３１は、ＬＣＤ１０をビューファインダとして使用する際に、解像度の低い画像データが一時的に記憶される。ビデオメモリ３１に記憶された画像データは、データバス２８を介してＬＣＤドライバ３２に送られ、ＬＣＤ１０に表示される。バッファメモリ３３は、撮像された高解像度の画像データが一時的に記憶される。このバッファメモリ３３から読み出された画像データは、メモリコントローラ３４によって駆動制御されるデータリーダによりＲＡＭ３５に記憶される。
【００２５】
画像信号処理回路３６は、撮像された高解像度の画像データがバッファメモリ３３内に記憶されている間に、例えば階調変換、色変換、画像の超低周波濃度成分の階調を圧縮するハイパートーン処理、粒状を抑制しながらシャープネスを強調するハイパーシャープネス処理等の画像処理を施す。
【００２６】
ＣＰＵ３０は、電源オン時にはタイマ３７を作動する。バッテリ３８は、デジタルカメラ２内部に内蔵され、ＬＣＤ１０やＣＰＵ３０などの各部へ電力を供給する。バッテリ３８はＣＰＵ３０に接続されており、このＣＰＵ３０によって各部に供給する電力が制御される。
【００２７】
図５に示すように、特殊オートパワーオフモードが設定された状態で電源がオンされると、ＣＰＵ３０は、特殊オートパワーオフモードであり省電力状態であることを示す「特殊オートパワーオフモード（省電力状態）」というモード表示画像４１と、特殊オートパワーオフモードを解除するための操作態様である「このモードを解除するにはメニューキーとズームボタンを一緒に押して下さい」というコメント画像４２と、残り時間を示す残り時間画像４３とをＬＣＤ１０に表示する。残り時間画像４３は、電源がオンされたときに「残り時間：１０秒」と表示され、１秒経過毎に、「残り時間：９秒」、「残り時間：８秒」・・・「残り時間：１秒」、「残り時間：０秒」と表示画像が変化する。
【００２８】
電源がオンされてから１０秒以内に、メニューキー１１とズームボタン１２が一緒に押されると、ＣＰＵ３０は、特殊オートパワーオフモードから、静止画撮影モード、動画撮影モード及び再生モードのいずれかに切り換える。本実施形態では、ＣＰＵ３０は、モード切換手段としても機能する。
【００２９】
次に、デジタルカメラ２の作用について、図６のフローチャートを用いて説明を行う。電源をオンすると（ステップ（以下，Ｓ）１）、ＣＰＵ３０は、タイマ３７を作動する（Ｓ２）とともに、ＲＡＭ３５を参照して特殊オートパワーオフモードが設定されている（特殊モードデータが記憶されている）か否かを判定する（Ｓ３）。特殊オートパワーオフモードが設定されている場合（Ｓ３でＹ）には、特殊オートパワーオフモードとなり（Ｓ４）、ＬＣＤ１０に各画像４１〜４３が表示される（Ｓ５）。１０秒以内にメニューキー１１とズームボタン１２が一緒に押されると（Ｓ６でＹ）、電源オン時に静止画マーク１４がモード表示マーク１７に向いていたとき（Ｓ７でＹ）には静止画撮影モードに切り換わり（Ｓ８）、動画マーク１５がモード表示マーク１７に向いていたとき（Ｓ７でＮ、Ｓ９でＹ）には動画撮影モードに切り換わり（Ｓ１０）、再生マーク１６がモード表示マーク１７に向いていたとき（Ｓ７でＮ、Ｓ９でＮ）には再生モードに切り換わる（Ｓ１１）。静止画撮影モード、動画撮影モード及び再生モードでは、操作ボタンを操作していない無操作時間が２分を超えたとき（Ｓ１２でＹ）には、ＣＰＵ３０により電源がオフされる（Ｓ１３）。また、１０秒以内にメニューキー１１とズームボタン１２が一緒に押されなかった場合（Ｓ６でＮ）は、ＣＰＵ３０により電源がオフされる（Ｓ１３）。本実施形態では、ＣＰＵ３０は、電源制御手段としても機能する。
【００３０】
通常オートパワーオフモードが設定されている（通常モードデータが記憶されている）場合（Ｓ３でＮ）には、上記（Ｓ４）〜（Ｓ６）は行われずに、（Ｓ７）〜（Ｓ１３）が行われる。
【００３１】
このように、特殊オートパワーオフモードに設定しておけば、電源がオンされてから１０秒以内にメニューキー１１とズームボタン１２が一緒に押されなかった場合に電源がオフされるから、必ず通常オートパワーオフモードで電源がオンされるものに比べて、意図しない電源オンでの無駄な電力消費を抑制することができる。
【００３２】
［第２実施形態］
図７及び図８に示す第２実施形態では、デジタルカメラ５０は、特殊オートパワーオフモードの他に、１回限定特殊オートパワーオフモードが設けられており、各特殊オートパワーオフモード時に時刻を表示する。なお、第１実施形態のものと同様の構成部材には同一の符号を付し、その詳細な説明を省略する。
【００３３】
１回限定特殊オートパワーオフモードを選択すると、ＲＡＭ３５に１回限定特殊モードデータが記憶される。１回限定特殊オートパワーオフモードは、電源をオンした後に、ＲＡＭ３５に記憶された１回限定特殊モードデータが消去され、通常モードデータが記憶される。
【００３４】
図７に示すように、特殊オートパワーオフモードが設定された状態で電源がオンされると、ＣＰＵ３０は、モード表示画像４１と、コメント画像４２と、残り時間画像４３と、現時刻を示す時刻画像５１とをＬＣＤ１０に表示する。なお、１回限定特殊オートパワーオフモードが設定されているときには、モード表示画像４１として「１回限定特殊オートパワーオフモード（省電力状態）」という画像が表示される。また、時刻画像の表示に代えて、音声により時刻を報知してもよい。
【００３５】
次に、デジタルカメラ５０の作用について、図８のフローチャートを用いて説明を行う。（Ｓ１０１）〜（Ｓ１０４），（Ｓ１０８），（Ｓ１１０）〜（Ｓ１１４）では、第１実施形態の（Ｓ１）〜（Ｓ５），（Ｓ７）〜（Ｓ１１）と同様の制御が行われる。特殊オートパワーオフモードが設定されていない場合（Ｓ１０３でＮ）には、ＣＰＵ３０は、ＲＡＭ３５を参照して１回限定特殊オートパワーオフモードが設定されている（１回限定特殊モードデータが記憶されている）か否かを判定する（Ｓ１０５）。１回限定特殊オートパワーオフモードが設定されている場合（Ｓ１０５でＹ）には、ＲＡＭ３５の１回限定特殊モードデータが消去されて通常モードデータが記憶された（Ｓ１０６）後、１回限定特殊オートパワーオフモードとなり（Ｓ１０７）、ＬＣＤ１０に各画像４１〜４３が表示される（Ｓ１０８）。１０秒以内にメニューキー１１とズームボタン１２が一緒に押された場合（Ｓ１０９でＹ）や、通常オートパワーオフモードが設定されている（通常モードデータが記憶されている）場合（Ｓ１０５でＮ）には、（Ｓ１１０）が行われる。
【００３６】
静止画撮影モード、動画撮影モード及び再生モードでは、操作ボタンを操作していない無操作時間が２分を超えると（Ｓ１１５でＹ）、ＲＡＭ３５に特殊モードデータが記憶されていない（特殊オートパワーオフモードが設定されていない）場合（Ｓ１１６でＮ）には、ＣＰＵ３０により１回限定特殊モードデータがＲＡＭ３５に記憶された（Ｓ１１７）後、電源がオフされる（Ｓ１１８）。ＲＡＭ３５に特殊モードデータが記憶されている（特殊オートパワーオフモードが設定されている）場合（Ｓ１１６でＹ）や、無操作時間が２分を超える前（Ｓ１１５でＮ）に電源ボタン６が操作された場合（Ｓ１１９でＹ）には、ＲＡＭ３５に記憶されたモードの記憶を維持したまま、電源がオフされる（Ｓ１１８）。本実施形態では、通常オートパワーオフモードと特殊オートパワーオフモードとのいずれで電源をオンするかを設定する設定手段は、メニューキー１１とＣＰＵ３０とから構成される。
【００３７】
また、ＬＣＤ１０に各画像４１〜４３が表示された（Ｓ１０８）後、１０秒以内にメニューキー１１とズームボタン１２が一緒に押されなかった場合（Ｓ１０９でＮ）は、（Ｓ１１６）が行われる。
【００３８】
このように、通常オートパワーオフモードが設定された状態で電源がオンされたときにも、無操作時間が２分を超えて電源がオフされた場合には、１回限定特殊モードデータがＲＡＭ３５に記憶される（１回限定特殊オートパワーオフモードが設定される）から、次回の電源オン時には、１回限定特殊オートパワーオフモードで電源がオンされる。これにより、意図しない電源オンが連続して行われたときにも、２回目以降の電源オン時には、１回限定特殊オートパワーオフモードで電源をオンすることができるから、２回目以降も常に通常オートパワーオフモードで電源がオンするものに比べて、無駄な電力消費を抑制することができる。
【００３９】
また、１回限定特殊オートパワーオフモードが設定された状態で電源がオンされ、ＲＡＭ３５の１回限定特殊モードデータが消去されて通常モードデータが記憶されたときにも、無操作時間が２分を超えて電源がオフされた場合や、１０秒以内にメニューキー１１とズームボタン１２が一緒に押されなかった場合には、再度１回限定特殊モードデータがＲＡＭ３５に記憶されるから、次回も、１回限定特殊オートパワーオフモードで電源をオンすることができる。
【００４０】
さらに、１回限定特殊オートパワーオフモードを設定しておけば、電源ボタン６を操作して電源をオフすると、通常モードデータがＲＡＭ３５に記憶される（通常オートパワーオフモードが設定される）から、次回の電源オン時には、特殊オートパワーオフモードまたは１回限定特殊オートパワーオフモードを経由せずに、通常オートパワーオフモードである静止画撮影モード、動画撮影モード及び再生モードのいずれかに直接移行することができる。
【００４１】
さらに、特殊オートパワーオフモードまたは１回限定特殊オートパワーオフモードを設定しておけば、時刻を確認することができるから、静止画撮影モード、動画撮影モード及び再生モードにモード移行して時刻を確認するデジタルカメラに比べて、時刻を確認するときにかかる消費電力を少なくすることができる。
【００４２】
なお、上記実施形態では、特殊オートパワーオフモードを解除するための操作態様を、メニューキー１１とズームボタン１２を一緒に押すこととしたが、これに限定されることなく、カバンやポケットに収納されている状態で操作されない操作態様であればよい。
【００４３】
また、通常オートパワーオフモードを複数設けてもよく、例えば、操作ボタンが２分操作されなかったときに電源がオフされる通常２分オートパワーオフモードと、操作ボタンが５分操作されなかったときに電源がオフされる通常５分オートパワーオフモードとを設け、これらを選択可能にしてもよい。この場合には、特殊オートパワーオフモードにも、解除されたときに通常２分オートパワーオフモードに移行する特殊２分オートパワーオフモードと、解除されたときに通常５分オートパワーオフモードに移行する特殊５分オートパワーオフモードとを設け、これらを選択可能にする。さらに、操作ボタンの無操作に関わらず、常に電源オンの状態を維持する常時電源オンモードを設けてもよい。
【００４４】
さらに、バッテリ３８をカメラ本体３内部に着脱自在に取り付け、バッテリ３８を遮蔽するバッテリカバーの開閉状態を検出し、開放を検出したときには、ＣＰＵ３０は、通常モードデータ及び特殊モードデータのうちの前回記憶したモードデータを、ＲＡＭ３５に記憶するようにしてもよい。
【００４５】
また、着脱自在なメモリカードを設け、メモリカードを遮蔽するメモリカードカバーの開閉状態を検出し、開放を検出したときには、ＣＰＵ３０は、通常モードデータ及び特殊モードデータのうちの前回記憶したモードデータを、ＲＡＭ３５に記憶するようにしてもよい。
【００４６】
さらに、上記実施形態では、ＲＡＭ３５に特殊モードデータが記憶されている場合には、静止画撮影モード、動画撮影モード及び再生モードよりも消費電力が少ない特殊オートパワーオフモードで電源がオンされるようにしたが、静止画撮影モード、動画撮影モード及び再生モードのうちの最も消費電力が少ないモードで電源がオンされるようにしてもよく、この場合、電源オン時に移行するモードは、特殊オートパワーオフモードの機能を有する。
【００４７】
また、第２実施形態では、１回限定特殊オートパワーオフモードを設けたが、その回数は１回に限らず、適宜変更可能である。例えば、２回限定特殊オートパワーオフモードを設けた場合には、このモードで２回電源をオンすると、ＲＡＭ３５に記憶した２回限定特殊モードデータが消去されて通常モードデータが記憶される。
【００４８】
さらに、第２実施形態では、無操作時間が２分を超えて電源がオフされた場合や、１０秒以内にメニューキー１１とズームボタン１２が一緒に押されなかった場合で、ＲＡＭ３５に特殊モードデータが記憶されていないときには、１回限定特殊モードデータをＲＡＭ３５に記憶したが、特殊モードデータをＲＡＭ３５に記憶してもよい。
【００４９】
また、上記実施形態では、ＬＣＤ１０により、特殊オートパワーオフモードで電源がオンされたことを報知したが、ＬＥＤやスピーカ等により報知してもよい。
【００５０】
さらに、上記実施形態では、デジタルカメラについて説明したが、携帯電話、ＰＤＡ、楽曲再生装置等にも、本発明を利用することができる。
【図面の簡単な説明】
【００５１】
【図１】本発明を実施したデジタルカメラを示す正面斜視図である。
【図２】デジタルカメラを示す背面図である。
【図３】モード設定画面がＬＣＤに表示された状態のデジタルカメラを示す背面図である。
【図４】デジタルカメラ内部の電気的構成を示すブロック図である。
【図５】特殊オートパワーオフモード中のデジタルカメラを示す背面図である。
【図６】電源オンからオフまでの処理の流れを示すフローチャートである。
【図７】特殊オートパワーオフモード及び１回限定特殊オートパワーオフモード時に時刻を表示する実施形態のデジタルカメラを示す背面図である。
【図８】図７に示す実施形態の電源オンからオフまでの処理の流れを示すフローチャートである。
【符号の説明】
【００５２】
２，５０  デジタルカメラ（電子装置）
９  レリーズボタン
１０  ＬＣＤ（報知手段）
１１  メニューキー
１２  ズームボタン
１３  モード切換ダイヤル
１８  モード設定画面
３０  ＣＰＵ
３７  タイマ
４１  モード表示画像
４２  コメント画像
４３  残り時間画像
【図１】
2010124064.tif 000003
【図２】
2010124064.tif 000004
【図３】
2010124064.tif 000005
【図４】
2010124064.tif 000006
【図５】
2010124064.tif 000007
【図６】
2010124064.tif 000008
【図７】
2010124064.tif 000009
【図８】
2010124064.tif 000010